(57)【要約】【課題】物干し竿を取り付けたり取り外したりする必要がない浴室天井への物干しフックの取付構造を提供する。【解決手段】浴室天井１０に内面に雌ねじを有する取付孔１１を穿設し、前記雌ねじに螺合する被取付部２１と、被取付部２１から下方に連設される被引掛け部２２と、を備えた物干しフック２を、その被取付部２１を上記取付孔１１に着脱自在に螺着する。【選択図】        図１
2010253179.tif 000002
【特許請求の範囲】
【請求項１】
浴室天井に内面に雌ねじを有する取付孔を穿設し、前記雌ねじに螺合する被取付部と、被取付部から下方に連設される被引掛け部と、を備えた物干しフックを、その被取付部を上記取付孔に着脱自在に螺着して成ることを特徴とする浴室天井への物干しフックの取付構造。
【請求項２】
浴室天井に穿設した取付孔に取り付けられる被取付部と、取付孔を覆い隠すカバー部と、で化粧キャップを構成し、物干しフックを使用しない時に、化粧キャップの被取付部を前記取付孔に着脱自在に螺着して成ることを特徴とする請求項１記載の浴室天井への物干しフックの取付構造。
【発明の詳細な説明】
【技術分野】
【０００１】
本発明は、物干しハンガー等を吊下げるための物干しフックの浴室天井への取付構造に関するものである。
【背景技術】
【０００２】
従来より、浴室内で洗濯物を干すことが広く行われている。例えば特許文献１には、浴室天井に設けられる昇降式物干し装置が開示してあるが、大掛かりな装置であり、大きな設置スペースを要し費用もかさむ。
【０００３】
また、昇降式でなく、単に浴室の対向する壁間に物干し竿を架設するものも広く利用されているが、物干し竿を利用しない場合には取り外さなければならず、長い物干し竿を取り扱うのが面倒であった。
【先行技術文献】
【特許文献】
【０００４】
【特許文献１】特開２０００−２９６２９６号公報
【発明の概要】
【発明が解決しようとする課題】
【０００５】
本発明は上記従来の問題点に鑑みて発明したものであって、その目的とするところは、物干し竿を取り付けたり取り外したりする必要がない浴室天井への物干しフックの取付構造を提供することを課題とするものである。
【課題を解決するための手段】
【０００６】
上記課題を解決するために請求項１に係る発明は、浴室天井１０に内面に雌ねじを有する取付孔１１を穿設し、前記雌ねじに螺合する被取付部２１と、被取付部２１から下方に連設される被引掛け部２２と、を備えた物干しフック２を、その被取付部２１を上記取付孔１１に着脱自在に螺着して成ることを特徴とする。
【０００７】
また請求項２に係る発明は、請求項１に係る発明において、浴室天井１０に穿設した取付孔１１に取り付けられる被取付部と、取付孔１１を覆い隠すカバー部３２と、で化粧キャップ３を構成し、物干しフック２を使用しない時に、化粧キャップ３の被取付部を前記取付孔１１に着脱自在に螺着して成ることを特徴とする。
【発明の効果】
【０００８】
物干しフックを浴室天井の取付孔に着脱自在に螺着するだけで、物干しハンガーを引掛けて使用することが可能となって、物干し竿を取り付けたり取り外したりする必要がなく、簡便な物干し構造を提供することが可能となる。
【０００９】
また、物干しフックを使用しない時に、浴室天井の取付孔を化粧キャップにて覆い隠すことが可能となる。
【図面の簡単な説明】
【００１０】
【図１】本発明の一実施形態の要部断面図である。
【図２】ユニットバスの一部切欠した斜視図である。
【図３】化粧キャップを取り付けた場合の要部断面図である。
【図４】他例の化粧キャップを取り付けた場合の要部断面図である。
【図５】（ａ）は更に他例の化粧キャップを取り付けた場合の要部断面図であり、（ｂ）は化粧キャップの断面図である。
【発明を実施するための形態】
【００１１】
以下、本発明の一実施形態について添付図面に基づいて説明する。
【００１２】
ユニットバスＵは、図２に示すように、建物躯体の浴室スペースＳの床面上に床パン４を設置し、床パン４の周端縁から上方に壁パネル５を立設し、壁パネル５の上端部に天井パネル１を載設して形成してあり、内部が浴室ＢＲとなると共に、本実施形態では天井パネル１が浴室天井（以下、単に「天井」という）１０となる。
【００１３】
床パン４は、浴槽設置部４１と洗い場４２とを備えており、浴槽設置部４１に浴槽ＢＴを設置している。
【００１４】
天井１０には、内面に雌ねじを有する取付孔１１を穿設するもので、本実施形態では、図１に示すように、洗い場４２の上方の天井パネル１に貫通孔１１ａを形成し、この貫通孔１１ａにフランジ付き筒状ナット６を取り付けることで取付孔１１を形成してある。
【００１５】
貫通孔１１ａは、天井パネル１に貫通形成される径がφ６ｍｍよりも若干大きい孔である。フランジ付き筒状ナット６は、筒状本体６１と、筒状本体６１の一端に形成されるフランジ６２とからなる。筒状本体６１は、外径がφ６ｍｍ、内径がφ４ｍｍの筒状をし、外面の先端に雄ねじを有すると共に内面に雌ねじを有している。
【００１６】
フランジ付き筒状ナット６を、そのフランジ６２が形成されていない側の端部を下方より貫通孔１１ａに挿通し、天井パネル１の下面にフランジ６２を当接させる。そして、フランジ付き筒状ナット６の天井パネル１の上面に突出した部分に袋ナット７を螺合させ、袋ナット７とフランジ付き筒状ナット６のフランジ６２とで天井パネル１を上下から挟持して、フランジ付き筒状ナット６を固定する。袋ナット７はＪＩＳ規格の六角袋ナット等が適宜用いられる。これにより、下方に開口する取付孔１１が形成され、この取付孔に物干しフック２が着脱自在に螺着される。袋ナット７を用いることで、浴室の湿気が天井１０裏に抜けるのを防止することができるが、袋ナット７でないナットでフランジ付き筒状ナット６を締結して、何らかの閉塞部材で天井１０裏への連通部分を閉塞し、湿気が天井１０裏へ抜けるのを防止してもよい。
【００１７】
物干しフック２は、取付孔１１の雌ねじに螺合する被取付部２１と、被取付部２１から下方に連設される被引掛け部２２と、で構成される。
【００１８】
本実施形態では、被取付部２１は外径がφ４で外面に雄ねじを有している。また被引掛け部２２は、下端部が円環状をしており、この部分に物干しハンガー８が引掛けられたり、ロープが挿通されたり、場合によっては物干し竿が挿通されたりする。
【００１９】
物干しフック２は、その被取付部２１を天井パネル１の下方より取付孔１１に螺着することで、天井パネル１に固定される。
【００２０】
また、物干しフック２を使用しない時には、天井パネル１の取付孔１１に化粧キャップ３を螺着するものである。化粧キャップ３は、取付孔１１に取り付けられる被取付部と、取付孔１１を覆い隠すカバー部３２と、を備えたもので、本実施形態では、被取付部として天井パネル１の取付孔１１の雌ねじに螺合する螺合部３１と、螺合部３１から下方に連設されるフランジ状のカバー部３２と、で構成され、その螺合部３１を天井パネル１の下方より取付孔１１に螺着することで、天井パネル１に固定される。
【００２１】
また化粧キャップ３の他例として、図４に示すように、化粧キャップ３がフランジ状のカバー部３２で主体が構成され、該カバー部３２が被取付部を兼ねるものでもよい。カバー部３２は、合成樹脂等の変形性を有する部材からなるもので、カバー部３２の内径がフランジ付き筒状ナットのフランジ６２の外径と略同じとなっており、フランジ６２に被嵌されることで取り付けられる。この場合、図３に示す化粧キャップ３のように被取付部３１を取付孔１１に螺着する必要がなく、嵌め込むだけでよく、作業性がよい。
【００２２】
また化粧キャップ３の更に他例として、図５に示すように、被取付部として取付孔１１に嵌入される嵌入部３３と、嵌入部３３から下方に連設されるフランジ状のカバー部３２と、で構成される。嵌入部３３は、図５（ｂ）に示すようにカバー部３２の上面から上方に向けて、中間部が外方に屈曲する略く字状をした弾性部を複数設け、その最も外方に屈曲した部分を繋ぐ径を平面視における取付孔１１の径よりも大きく形成してある。この嵌入部３３を図５（ａ）に示すように取付孔１１に圧入することで、嵌入部３３の弾性力により取付孔１１から抜けずに固定されるものである。この場合も嵌め込むだけで化粧キャップ３を装着できて、作業性がよい。なお、嵌入部３３としては図５に示すものではなく、取付孔１１に嵌入されて固定されるものであればよい。
【００２３】
本発明においては、物干しフック２をユニットバスＵの天井１の取付孔１１に着脱自在に螺着するだけで、物干しハンガー８を引掛けて使用することが可能となって、物干し竿を取り付けたり取り外したりする必要がなく、簡便な物干し構造となる。また、従来デッドスペースとなっていた洗い場４２の上方のスペースを有効に利用することが可能となる。
【００２４】
また、物干しフック２を使用しない時に化粧キャップ３を取り付けることで、取付孔１１を覆い隠すことが可能となる。
【００２５】
なお、取付孔１１は天井１０だけでなく、壁面に設けてもよい。この場合には、洗い場４２の壁パネル５に上述したのと同様に貫通孔１１を形成すると共に、この貫通孔１１にフランジ付き筒状ナット６を取り付けることで取付孔１１を形成する。これにより、物干しフック２を天井１ではなく壁面に取り付けることができ、背が低い人でも容易に利用することができる。
【００２６】
また、天井１や壁面に複数の取付孔１１を形成し、物干しフック２を所望の取付孔１１に取り付けて使用し、使用しない取付孔１１に化粧キャップ３を取り付けるようにすれば、複数の取付孔１１から選択的に物干しフック２を取り付けて使用することができ、使用しない取付孔１１を化粧キャップ３で覆い隠しながら化粧キャップ３の収納を行うことが可能となる。
【符号の説明】
【００２７】
１    天井パネル
１０  浴室天井
１１  取付孔
１１ａ  貫通孔
２    物干しフック
２１  被取付部
２２  被引掛け部
３    化粧キャップ
３２  カバー部
４    床パン
４１  浴槽設置部
４２  洗い場
５    壁パネル
６    フランジ付き筒状ナット
６１  筒状本体
６２  フランジ
７    袋ナット
８    物干しハンガー
Ｕ    ユニットバス
Ｓ    浴室スペース
ＢＲ  浴室
ＢＴ  浴槽
【図１】
2010253179.tif 000003
【図２】
2010253179.tif 000004
【図３】
2010253179.tif 000005
【図４】
2010253179.tif 000006
【図５】
2010253179.tif 000007